(57)【特許請求の範囲】
【請求項１】
外部から原水を流入させる原水給水管部と、通常操作モードと内部洗浄モードとに切替えできる原水分岐給水切替装置と、浄水槽（活性炭浄水槽＋中空糸膜浄水槽）と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、通常操作モードと内部洗浄モードとに切替えできる陽極室生成水分岐排水切替装置と、陰極室生成水吐水口と、排水管部と、からなる連続式電解水生成器において、原水分岐給水切替装置と陽極室生成水分岐排水切替装置とを通常操作モード（正電圧印加での電解又は逆電圧印加での電解又は無電解による吐水、且つ陽極室通過水吐水モード）に切替えることで原水は、順に原水給水管部、原水分岐給水切替装置、浄水槽原水入水口、浄水槽、浄水槽浄水出水口、薬剤添加装置、電解槽、陰極室入水においては、陰極室入水口、陰極室、陰極室出水口、陰極室生成水吐水口を通り、飲用可能なアルカリイオン水（又は酸性水、浄水）として吐水され、陽極室入水においては、陽極室入水口、陽極室、陽極室出水口、陽極室生成水分岐排水切替装置、排水管部を通り、酸性水（又はアルカリイオン水、浄水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置、陽極室入水口、陽極室、陽極室出水口、陽極室生成水分岐排水切替装置、浄水槽洗浄水入水口、浄水槽浄水出水口、薬剤添加装置、陰極室入水口、陰極室、陰極室出水口、陰極室生成水吐水口を通り、飲用不可能な洗浄水（次亜塩素酸含有水又はアルカリ性洗浄水又は原水）として吐水できることを特徴とする連続式電解水生成器。
【請求項２】
外部から原水を流入させる原水給水管部と、通常操作モードと内部洗浄モードとに切替えできる原水分岐給水切替装置と、活性炭浄水槽と、中空糸膜浄水槽と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、通常操作モードと内部洗浄モードとに切替えできる陽極室生成水分岐排水切替装置と、陰極室生成水吐水口と、排水管部と、からなる連続式電解水生成器において、原水分岐給水切替装置と陽極室生成水分岐排水切替装置とを通常操作モード（正電圧印加での電解又は逆電圧印加での電解又は無電解による吐水、且つ陽極室通過水吐水モード）に切替えることで原水は、順に原水給水管部、原水分岐給水切替装置（又は活性炭浄水槽）、活性炭浄水槽（又は原水分岐給水切替装置）、中空糸膜浄水槽、薬剤添加装置、電解槽、陰極室入水においては、陰極室入水口、陰極室、陰極室出水口、陰極室生成水吐水口を通り、飲用可能なアルカリイオン水（又は酸性水、浄水）として吐水され、陽極室入水においては、陽極室入水口、陽極室、陽極室出水口、陽極室生成水分岐排水切替装置、排水管部を通り、酸性水（又はアルカリイオン水、浄水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置（又は活性炭浄水槽、原水分岐給水切替装置）、陽極室入水口、陽極室、陽極室出水口、陽極室生成水分岐排水切替装置、中空糸膜浄水槽洗浄水入水口、中空糸膜浄水槽出水口、薬剤添加装置、陰極室入水口、陰極室、陰極室出水口、陰極室生成水吐水口を通り、飲用不可能な洗浄水（次亜塩素酸含有水又はアルカリ性洗浄水又は原水）として吐水できることを特徴とする連続式電解水生成器。
【請求項３】
外部から原水を流入させる原水給水管部と、浄水吐水モードと電解水吐水モードと内部洗浄モードとに切替えできる原水分岐給水切替装置と、浄水槽（活性炭浄水槽＋中空糸膜浄水槽）と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、浄水吐水モードと電解水吐水モードと内部洗浄モードとに切替えできる陽極室生成水分岐排水切替装置と、陰極室生成水吐水口と、排水管部と、からなる連続式電解水生成器において、原水分岐給水切替装置と陽極室生成水分岐排水切替装置とを浄水吐水モード（無電解による吐水且つ陽極室通過水止水モード）に切替えることで原水は、順に原水給水管部、原水分岐給水切替装置、浄水槽原水入水口、浄水槽、浄水槽浄水出水口、薬剤添加装置、陰極室入水口、陰極室、陰極室出水口、陰極室生成水吐水口を通り、飲用可能な浄水として吐水され、原水分岐給水切替装置と陽極室生成水分岐排水切替装置とを電解水吐水モード（正電圧印加での電解又は逆電圧印加での電解による吐水、且つ陽極室通過水吐水モード）に切替えることで原水は、順に原水給水管部、原水分岐給水切替装置、浄水槽原水入水口、浄水槽、浄水槽浄水出水口、薬剤添加装置、電解槽、陰極室入水においては、陰極室入水口、陰極室、陰極室出水口、陰極室生成水吐水口を通り、飲用可能なアルカリイオン水（又は酸性水）として吐水され、陽極室入水においては、陽極室入水口、陽極室、陽極室出水口、陽極室生成水分岐排水切替装置、排水管部を通り、酸性水（又はアルカリイオン水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置、陽極室入水口、陽極室、陽極室出水口、陽極室生成水分岐排水切替装置、浄水槽洗浄水入水口、浄水槽浄水出水口、薬剤添加装置、陰極室入水口、陰極室、陰極室出水口、陰極室生成水吐水口を通り、飲用不可能な洗浄水（次亜塩素酸含有水又はアルカリ性洗浄水又は原水）として吐水できることを特徴とする連続式電解水生成器。
【請求項４】
外部から原水を流入させる原水給水管部と、浄水吐水モードと電解水吐水モードと内部洗浄モードとに切替えできる原水分岐給水切替装置と、活性炭浄水槽と、中空糸膜浄水槽と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、浄水吐水モードと電解水吐水モードと内部洗浄モードとに切替えできる陽極室生成水分岐排水切替装置と、陰極室生成水吐水口と、排水管部と、からなる連続式電解水生成器において、原水分岐給水切替装置と陽極室生成水分岐排水切替装置とを浄水吐水モード（無電解による吐水且つ陽極室通過水止水モード）に切替えることで原水は、順に原水給水管部、原水分岐給水切替装置（又は活性炭浄水槽）、活性炭浄水槽（又は原水分岐給水切替装置）、中空糸膜浄水槽、薬剤添加装置、陰極室入水口、陰極室、陰極室出水口、陰極室生成水吐水口を通り、飲用可能な浄水として吐水され、原水分岐給水切替装置と陽極室生成水分岐排水切替装置とを電解水吐水モード（正電圧印加での電解又は逆電圧印加での電解による吐水、且つ陽極室通過水吐水モード）に切替えることで原水は、順に原水給水管部、原水分岐給水切替装置（又は活性炭浄水槽）、活性炭浄水槽（又は原水分岐給水切替装置）、中空糸膜浄水槽、薬剤添加装置、電解槽、陰極室入水においては、陰極室入水口、陰極室、陰極室出水口、陰極室生成水吐水口を通り、飲用可能なアルカリイオン水（又は酸性水）として吐水され、陽極室入水においては、陽極室入水口、陽極室、陽極室出水口、陽極室生成水分岐排水切替装置、排水管部を通り、酸性水（又はアルカリイオン水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置（又は活性炭浄水槽、原水分岐給水切替装置）、陽極室入水口、陽極室、陽極室出水口、陽極室生成水分岐排水切替装置、中空糸膜浄水槽洗浄水入水口、中空糸膜浄水槽出水口、薬剤添加装置、陰極室入水口、陰極室、陰極室出水口、陰極室生成水吐水口を通り、飲用不可能な洗浄水（次亜塩素酸含有水又はアルカリ性洗浄水又は原水）として吐水できることを特徴とする連続式電解水生成器。
【請求項５】
薬剤添加装置と陰極室入水口との間の配管路に排水弁機構を設け、通水が無くなると、薬剤添加装置や電解槽等に残留している水を排水弁機構から排水することができることを特徴とする請求項１、２、３又は４記載の連続式電解水生成器。
【発明の詳細な説明】
【０００１】
【発明の属する技術分野】
本発明は、原水（例えば、水道水、井戸水）を浄化し、その浄化した水を電気分解（以下、電解という。）して電解水を生成するアルカリイオン整水器等の連続式電解水生成器に係るものであり、詳しくはスケール（原水に含まれるカルシウム分や薬剤添加されるカルシウム製剤のカルシウム分）等を除去（剥離）するために行われる電解槽内の逆電洗浄とは別に、電解槽の陽極室で生成される次亜塩素酸含有水（酸性水）等を、順に中空糸膜浄水槽、薬剤添加装置、電解槽、陰極室生成水吐水口等に循環させて衛生保持ができる連続式電解水生成器の内部洗浄の改善に関する。
【０００２】
【従来の技術】
従来、連続式電解水生成器の内部洗浄方法には、例えば、特開平１１−１９２４８３号公報等で開示されているように、洗浄回路切り換え機構を設け、電解槽の陽極室の出水口から原水給水して、陽極室で次亜塩素酸含有水（酸性水）等を生成し、陽極室入水口から順に中空糸膜浄水槽（中空糸膜の逆流洗浄は行わない。）、薬剤添加装置、電解槽、陰極室生成水吐水口等に循環させて衛生保持する技術がある。
【０００３】
【発明が解決しようとする課題】
しかしながら、従来の内部洗浄方法は、電解槽の陽極室の水と、電解槽の陰極室の水と、が逆方向（いずれか一方が電解槽の上方にある出水口から電解槽の下方にある入水口に向う方向）に流れているので、生成される電解水（次亜塩素酸含有水等）の次亜塩素酸濃度が低く（発生する酸素ガスや塩素ガスが陽極室の電極を被い、いわゆるエアーカーテン効果で電解効率が低下したり、前記ガスが電解槽の上部に溜まり電解水に溶けなかったりする理由が考えられる。）、長時間の洗浄が必要とされるものであった。
【０００４】
本発明は、従来の技術の有するこのような問題点に鑑みてなされたものであり、その目的とするところは、短時間の内部洗浄時間でありながら、浄水槽或いは中空糸膜浄水槽（中空糸膜の逆流洗浄は行わない。）、薬剤添加装置、電解槽、陰極室生成水吐水口等の衛生保持ができる連続式電解水生成器を提供しようとするものである。
【０００５】
【課題を解決するための手段】
上記目的を達成するために、本発明における連続式電解水生成器においては、外部から原水を流入させる原水給水管部（例えば、給水ホース）と、通常操作モードと内部洗浄モードとに切替えできる原水分岐給水切替装置（例えば、原水入水口と、浄水槽原水入水口側出水口と、陽極室入水口側出水口と、を有する三方弁。電磁式、電動式、手動式等は問わない。）と、浄水槽（活性炭浄水槽と中空糸膜浄水槽とを有する一体型の浄水槽〔カートリッジともいう。〕であって、浄水槽原水入水口と、浄水槽洗浄水入水口と、浄水槽浄水出水口と、を有することを特徴とする。）と、薬剤添加装置（例えば、乳酸カルシウム製剤投入、溶解ができる添加筒。）と、陰極室及び陽極室を有し各室に入水口と出水口とを有する電解槽（例えば、特開平３−３８２９３号公報等参照。）と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、通常操作モードと内部洗浄モードとに切替えできる陽極室生成水分岐排水切替装置（例えば、陽極室出水口側入水口と、排水管部側出水口と、浄水槽洗浄水入水口を有する三方弁。電磁式、電動式、手動式等は問わない。原水分岐給水切替装置と連動させても良い。又原水分岐給水切替装置と一体に形成〔例えば、一軸上に配設したり、ケーシングを共通にする。〕しても良い。）と、陰極室生成水吐水口（例えば、１ウェイ方式では吐水パイプ、２ウェイ方式では分岐栓等への送水パイプ）と、排水管部（例えば、排水ホース）と、からなり、原水分岐給水切替装置と陽極室生成水分岐排水切替装置とを通常操作モード（正電圧印加〔陰極室の電極をマイナス側とし、陽極室の電極をプラス側として、水の電解を行うための直流電圧等を印加すること。〕での電解又は逆電圧印加〔陰極室の電極をプラス側とし、陽極室の電極をマイナス側として、水の電解を行うための直流電圧等を印加すること。〕での電解又は無電解〔陰極室の電極及び陽極室の電極に、水の電解を行うための直流電圧等を印加しないこと。〕による吐水、且つ陽極室通過水吐水モード）に切替える（連動して切替えても良いし、個別に切替えても良い。）ことで原水は、順に原水給水管部、原水分岐給水切替装置（原水入水口から浄水槽原水入水口側出水口を通る）、浄水槽原水入水口、浄水槽、浄水槽浄水出水口、薬剤添加装置、電解槽、陰極室入水においては、陰極室入水口、陰極室、陰極室出水口、陰極室生成水吐水口を通り、飲用可能なアルカリイオン水（逆電圧印加での電解においては酸性水、無電解においては浄水）として吐水され、陽極室入水においては、陽極室入水口、陽極室、陽極室出水口、陽極室生成水分岐排水切替装置（陽極室出水口側入水口から排水管部側出水口を通る）、排水管部を通り、酸性水（逆電圧印加での電解においてはアルカリイオン水、無電解においては浄水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置（原水入水口から陽極室入水口側出水口を通る）、陽極室入水口、陽極室、陽極室出水口、陽極室生成水分岐排水切替装置（陽極室出水口側入水口から浄水槽洗浄水入水口を通る）、浄水槽洗浄水入水口（中空糸膜の逆流洗浄は行わない。）、浄水槽浄水出水口、薬剤添加装置、陰極室入水口、陰極室、陰極室出水口、陰極室生成水吐水口を通り、飲用不可能な洗浄水（正電圧印加での電解時は次亜塩素酸含有水、逆電圧印加での電解時はアルカリ性洗浄水、無電解時は原水）として吐水できることを特徴とする。
【０００６】
又は、外部から原水を流入させる原水給水管部（例えば、給水ホース）と、通常操作モードと内部洗浄モードとに切替えできる原水分岐給水切替装置（例えば、原水入水口〔又は活性炭浄水槽浄水出水口側入水口((原水分岐給水切替装置と活性炭浄水槽との水路配置を入れ換えた場合))〕と、活性炭浄水槽原水入水口側出水口〔又は中空糸膜浄水槽入水口側出水口((原水分岐給水切替装置と活性炭浄水槽との水路配置を入れ換えた場合))〕と、陽極室入水口側出水口と、を有する三方弁。電磁式、電動式、手動式等は問わない。）と、活性炭浄水槽（活性炭カートリッジともいう。）と、中空糸膜浄水槽（中空糸膜カートリッジともいう。中空糸膜浄水槽入水口と、中空糸膜浄水槽洗浄水入水口と、中空糸膜浄水槽出水口と、を有することを特徴とする。）と、薬剤添加装置（例えば、乳酸カルシウム製剤投入、溶解ができる添加筒。）と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、通常操作モードと内部洗浄モードとに切替えできる陽極室生成水分岐排水切替装置（例えば、陽極室出水口側入水口と、排水管部側出水口と、中空糸膜浄水槽洗浄水入水口を有する三方弁。電磁式、電動式、手動式等は問わない。原水分岐給水切替装置と連動させても良い。又原水分岐給水切替装置と一体に形成〔例えば、一軸上に配設したり、ケーシングを共通にする。〕しても良い。）と、陰極室生成水吐水口（例えば、パイプ）と、排水管部（例えば、排水ホース）と、からなり、原水分岐給水切替装置と陽極室生成水分岐排水切替装置とを通常操作モード（正電圧印加での電解又は逆電圧印加での電解又は無電解による吐水、且つ陽極室通過水吐水モード）に切替える（連動して切替えても良いし、個別に切替えても良い。）ことで原水は、順に原水給水管部、原水分岐給水切替装置〔原水入水口から活性炭浄水槽原水入水口側出水口を通る〕（又は活性炭浄水槽((原水分岐給水切替装置と活性炭浄水槽との水路配置を入れ換えた場合))）、活性炭浄水槽（又は原水分岐給水切替装置〔活性炭浄水槽浄水出水口側入水口から中空糸膜浄水槽入水口側出水口を通る〕((原水分岐給水切替装置と活性炭浄水槽との水路配置を入れ換えた場合))）、中空糸膜浄水槽、薬剤添加装置、電解槽、陰極室入水においては、陰極室入水口、陰極室、陰極室出水口、陰極室生成水吐水口を通り、飲用可能なアルカリイオン水（逆電圧印加での電解においては酸性水、無電解においては浄水）として吐水され、陽極室入水においては、陽極室入水口、陽極室、陽極室出水口、陽極室生成水分岐排水切替装置（陽極室出水口側入水口から排水管部側出水口を通る）、排水管部を通り、酸性水（逆電圧印加での電解においてはアルカリイオン水、無電解においては浄水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給��切替装置〔原水入水口から陽極室入水口側出水口を通る〕（又は活性炭浄水槽、原水分岐給水切替装置〔活性炭浄水槽浄水出水口側入水口から陽極室入水口側出水口を通る〕((原水分岐給水切替装置と活性炭浄水槽との水路配置を入れ換えた場合))）、陽極室入水口、陽極室、陽極室出水口、陽極室生成水分岐排水切替装置（陽極室出水口側入水口から中空糸膜浄水槽洗浄水入水口を通る）、中空糸膜浄水槽洗浄水入水口（逆流洗浄は行わない。）、中空糸膜浄水槽出水口、薬剤添加装置、陰極室入水口、陰極室、陰極室出水口、陰極室生成水吐水口を通り、飲用不可能な洗浄水（正電圧印加での電解時は次亜塩素酸含有水、逆電圧印加での電解時はアルカリ性洗浄水、無電解時は原水）として吐水できることを特徴とする。
【０００７】
又は、外部から原水を流入させる原水給水管部と、浄水吐水モードと電解水吐水モードと内部洗浄モードとに切替えできる原水分岐給水切替装置（例えば、原水入水口と、浄水槽原水入水口側出水口と、陽極室入水口側出水口と、を有する三方弁。或いは、原水入水口と、浄水槽原水入水口側出水口１と、浄水槽原水入水口側出水口２と、陽極室入水口側出水口と、を有する四方弁。電磁式、電動式、手動式等は問わない。）と、浄水槽（活性炭浄水槽と中空糸膜浄水槽とを有する一体型の浄水槽〔カートリッジともいう。〕であって、浄水槽原水入水口と、浄水槽洗浄水入水口と、浄水槽浄水出水口と、を有することを特徴とする。）と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、浄水吐水モードと電解水吐水モードと内部洗浄モードとに切替えできる陽極室生成水分岐排水切替装置（例えば、陽極室出水口側入水口と、排水管部側出水口と、浄水槽洗浄水入水口を有する三方弁。或いは、陽極室出水口側入水口と、排水管部側出水口と、例えば、蓋をした止水口と、浄水槽洗浄水入水口を有する四方弁。電磁式、電動式、手動式等は問わない。原水分岐給水切替装置と連動させても良い。又原水分岐給水切替装置と一体に形成〔例えば、一軸上に配設したり、ケーシングを共通にする。〕しても良い。）と、陰極室生成水吐水口と、排水管部と、からなる連続式電解水生成器において、原水分岐給水切替装置と陽極室生成水分岐排水切替装置とを浄水吐水モード（無電解による吐水且つ陽極室通過水止水モード）に切替える（連動して切替えても良いし、個別に切替えても良い。このモードにおける陽極室生成水分岐排水切替装置では、三方弁においては陽極室出水口側入水口と、排水管部側出水口と浄水槽洗浄水入水口との中間位置で止水される通路が、四方弁においては陽極室出水口側入水口から蓋をした止水口を通る通路が、選択されるが実際は止水される）ことで原水は、順に原水給水管部、原水分岐給水切替装置（三方弁においては原水入水口から浄水槽原水入水口側出水口を通り、四方弁においては原水入水口から浄水槽原水入水口側出水口２を通る）、浄水槽原水入水口、浄水槽、浄水槽浄水出水口、薬剤添加装置、陰極室入水口、陰極室、陰極室出水口、陰極室生成水吐水口を通り、飲用可能な浄水として吐水され、原水分岐給水切替装置と陽極室生成水分岐排水切替装置とを電解水吐水モード（正電圧印加での電解又は逆電圧印加での電解による吐水、且つ陽極室通過水吐水モード）に切替えることで原水は、順に原水給水管部、原水分岐給水切替装置（三方弁においては原水入水口から浄水槽原水入水口側出水口を通り、四方弁においては原水入水口から浄水槽原水入水口側出水口１を通る）、浄水槽原水入水口、浄水槽、浄水槽浄水出水口、薬剤添加装置、電解槽、陰極室入水においては、陰極室入水口、陰極室、陰極室出水口、陰極室生成水吐水口を通り、飲用可能なアルカリイオン水（逆電圧印加での電解においては酸性水）として吐水され、陽極室入水においては、陽極室入水口、陽極室、陽極室出水口、陽極室生成水分岐排水切替装置（三方弁及び四方弁ともに陽極室出水口側入水口から排水管部側出水口を通る）、排水管部を通り、酸性水（逆電圧印加での電解においてはアルカリイオン水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、順に原水給水管部、原水分岐給水切替装置（三方弁及び四方弁ともに原水入水口から陽極室入水口側出水口を通る）、陽極室入水口、陽極室、陽極室出水口、陽極室生成水分岐排水切替装置（三方弁及び四方弁ともに陽極室出水口側入水口から浄水槽洗浄水入水口を通る）、浄水槽洗浄水入水口（中空糸膜の逆流洗浄は行わない。）、浄水槽浄水出水口、薬剤添加装置、陰極室入水口、陰極室、陰極室出水口、陰極室生成水吐水口を通り、飲用不可能な洗浄水（正電圧印加での電解時は次亜塩素酸含有水、逆電圧印加での電解時はアルカリ性洗浄水、無電解時は原水）として吐水できることを特徴とする。
【０００８】
又は、外部から原水を流入させる原水給水管部と、浄水吐水モードと電解水吐水モードと内部洗浄モードとに切替えできる原水分岐給水切替装置（例えば、原水入水口〔又は活性炭浄水槽浄水出水口側入水口((原水分岐給水切替装置と活性炭浄水槽との水路配置を入れ換えた場合))〕と、活性炭浄水槽原水入水口側出水口〔又は中空糸膜浄水槽入水口側出水口((原水分岐給水切替装置と活性炭浄水槽との水路配置を入れ換えた場合))〕と、陽極室入水口側出水口と、を有する三方弁。或いは、原水入水口〔又は活性炭浄水槽浄水出水口側入水口((原水分岐給水切替装置と活性炭浄水槽との水路配置を入れ換えた場合))〕と、活性炭浄水槽原水入水口側出水口１〔又は中空糸膜浄水槽入水口側出水口１((原水分岐給水切替装置と活性炭浄水槽との水路配置を入れ換えた場合))〕と、活性炭浄水槽原水入水口側出水口２〔又は中空糸膜浄水槽入水口側出水口２((原水分岐給水切替装置と活性炭浄水槽との水路配置を入れ換えた場合))〕と、陽極室入水口側出水口と、を有する四方弁。電磁式、電動式、手動式等は問わない。）と、活性炭浄水槽（活性炭カートリッジともいう。）と、中空糸膜浄水槽（中空糸膜カートリッジともいう。中空糸膜浄水槽入水口と、中空糸膜浄水槽洗浄水入水口と、中空糸膜浄水槽出水口と、を有することを特徴とする。）と、薬剤添加装置と、陰極室及び陽極室を有し各室に入水口と出水口とを有する電解槽と、該電解槽の陰極室入水口側から陽極室入水口側には水が流れ該陽極室入水口側から該陰極室入水口側には水が流れないように該電解槽の下部の陰極室入水口と陽極室入水口との間に設けられた逆止弁機構を有する配管路と、浄水吐水モードと電解水吐水モードと内部洗浄モードとに切替えできる陽極室生成水分岐排水切替装置（例えば、陽極室出水口側入水口と、排水管部側出水口と、中空糸膜浄水槽洗浄水入水口を有する三方弁。或いは、陽極室出水口側入水口と、排水管部側出水口と、例えば、蓋をした止水口と、中空糸膜浄水槽洗浄水入水口を有する四方弁。電磁式、電動式、手動式等は問わない。原水分岐給水切替装置と連動させても良い。又原水分岐給水切替装置と一体に形成〔例えば、一軸上に配設したり、ケーシングを共通にする。〕しても良い。）と、陰極室生成水吐水口と、排水管部と、からなる連続式電解水生成器において、原水分岐給水切替装置と陽極室生成水分岐排水切替装置とを浄水吐水モード（無電解による吐水且つ陽極室通過水止水モード）に切替える（連動して切替えても良いし、個別に切替えても良い。このモードにおける陽極室生成水分岐排水切替装置では、三方弁においては陽極室出水口側入水口と、排水管部側出水口と中空糸膜浄水槽洗浄水入水口との中間位置で止水される通路が、四方弁においては陽極室出水口側入水口から蓋をした止水口を通る通路が、選択されるが実際は止水される）ことで原水は、順に原水給水管部、原水分岐給水切替装置〔三方弁においては原水入水口から活性炭浄水槽原水入水口側出水口を通り、四方弁においては原水入水口から活性炭浄水槽原水入水口側出水口２を通る〕（又は活性炭浄水槽((原水分岐給水切替装置と活性炭浄水槽との水路配置を入れ換えた場合))）、活性炭浄水槽（又は原水分岐給水切替装置〔三方弁においては活性炭浄水槽浄水出水口側入水口から中空糸膜浄水槽入水口側出水口を通り、四方弁においては活性炭浄水槽浄水出水口側入水口から中空糸膜浄水槽入水口側出水口２を通る〕((原水分岐給水切替装置と活性炭浄水槽との水路配置を入れ換えた場合))）、中空糸膜浄水槽、薬剤添加装置、陰極室入水口、陰極室、陰極室出水口、陰極室生成水吐水口を通り、飲用可能な浄水として吐水され、原水分岐給水切替装置と陽極室生成水分岐排水切替装置とを電解水吐水モード（正電圧印加での電解又は逆電圧印加での電解による吐水、且つ陽極室通過水吐水モード）に切替えることで原水は、原水給水管部、原水分岐給水切替装置〔三方弁においては原水入水口から活性炭浄水槽原水入水口側出水口を通り、四方弁においては原水入水口から活性炭浄水槽原水入水口側出水口１を通る〕（又は活性炭浄水槽((原水分岐給水切替装置と活性炭浄水槽との水路配置を入れ換えた場合))）、活性炭浄水槽（又は原水分岐給水切替装置〔三方弁においては活性炭浄水槽浄水出水口側入水口から中空糸膜浄水槽入水口側出水口を通り、四方弁においては活性炭浄水槽浄水出水口側入水口から中空糸膜浄水槽入水口側出水口１を通る〕((原水分岐給水切替装置と活性炭浄水槽との水路配置を入れ換えた場合))）、中空糸膜浄水槽、薬剤添加装置、電解槽、陰極室入水においては、陰極室入水口、陰極室、陰極室出水口、陰極室生成水吐水口を通り、飲用可能なアルカリイオン水（逆電圧印加での電解においては酸性水）として吐水され、陽極室入水においては、陽極室入水口、陽極室、陽極室出水口、陽極室生成水分岐排水切替装置（三方弁及び四方弁ともに陽極室出水口側入水口から排水管部側出水口を通る）、排水管部を通り、酸性水（逆電圧印加での電解においてはアルカリイオン水）として吐水され、原水分岐給水切替装置と陽極室生成水分岐排水切替装置とを内部洗浄モード（正電圧印加での電解又は逆電圧印加での電解又は無電解による吐水、且つ陽極室通過水循環モード）に切替えることで原水は、原水給水管部、原水分岐給水切替装置〔三方弁及び四方弁ともに原水入水口から陽極室入水口側出水口を通る〕（又は活性炭浄水槽、原水分岐給水切替装置〔三方弁及び四方弁ともに活性炭浄水槽浄水出水口側入水口から陽極室入水口側出水口を通る〕((原水分岐給水切替装置と活性炭浄水槽との水路配置を入れ換えた場合))）、陽極室入水口、陽極室、陽極室出水口、陽極室生成水分岐排水切替装置（三方弁及び四方弁ともに陽極室出水口側入水口から中空糸膜浄水槽洗浄水入水口を通る）、中空糸膜浄水槽洗浄水入水口（逆流洗浄は行わない。）、中空糸膜浄水槽出水口、薬剤添加装置、陰極室入水口、陰極室、陰極室出水口、陰極室生成水吐水口を通り、飲用不可能な洗浄水（正電圧印加での電解時は次亜塩素酸含有水、逆電圧印加での電解時はアルカリ性洗浄水、無電解時は原水）として吐水できることを特徴とする。
【０００９】
前記のように、電解水吐水モード又は内部洗浄モードに、原水分岐給水切替装置と陽極室生成水分岐排水切替装置とを切替えても、電解槽の陽極室の水と、電解槽の陰極室の水と、が常に順方向（電解槽の下方にある入水口から電解槽の上方にある出水口に向う方向）に流れることを特徴とする。
【００１１】
又、薬剤添加装置と陰極室入水口との間の配管路に排水弁機構を設け、通水が無くなると、薬剤添加装置や電解槽等に残留している水を排水弁機構から排水することかできることを特徴とする。
【００１２】
【発明の実施の形態】
発明の実施の形態について図面を参照して説明する。尚、図面に記載の「→」等の記号は、水の流れ方向をあらわすものとする。
図１は本発明の連続式電解水生成器１０の参考外観図である。
本発明の第一実施例の連続式電解水生成器１０（以下、本器１０という。）は、ケーシング１２と、トップカバー１１（取り外すと、浄水槽３０〔活性炭浄水槽３１と中空糸膜浄水槽３２とを一体型に形成したもの。〕が見える。）と、外部から原水を流入させる原水給水管部２１（例えば、給水ホース）と、通常操作モードと内部洗浄モードとに切替えできる原水分岐給水切替装置８１（例えば、原水入水口と、浄水槽３０原水入水口側出水口と、陽極室６２入水口側出水口と、を有する三方弁。８３は〔手動回転式の〕切替槓杆〔レバー〕又は切替コックである。）と、浄水槽３０（活性炭浄水槽３１と中空糸膜浄水槽３２とを有する浄水槽〔カートリッジともいう。〕であって、浄水槽３０原水入水口と、浄水槽３０洗浄水入水口と、浄水槽３０浄水出水口と、を有することを特徴とする。交換可能。）と、流量検出装置４０（羽根車式流量センサ、ダイヤフラム式圧力センサ、フラッパ式圧力スイッチ等）と、薬剤添加装置５０（例えば、乳酸カルシウム製剤投入、溶解ができる添加筒）と、陰極室６１及び陽極室６２を有し各室に入水口と出水口とを有する電解槽６０と、通常操作モードと内部洗浄モードとに切替えできる陽極室生成水分岐排水切替装置８２（例えば、陽極室６２出水口側入水口と、排水管部２３側出水口と、浄水槽３０洗浄水入水口と、を有する三方弁。ベルトやギア等の駆動力伝達装置８４により切替槓杆８３に連動する。原水分岐給水切替装置８１と一体に形成されている場合は駆動力伝達装置８４そのものは不要の場合がある。）と、陰極室生成水吐水口２４（例えば、１ウェイ方式では吐水パイプ、２ウェイ方式では分岐栓等への送水パイプ）と、排水管部２３（例えば、酸性水ホース）と、からなる。
【００１３】
細部においては、原水分岐給水切替装置８１と陽極室６２入水口との間の配管路には必要により定流量弁機構７３（例えば、オリフィス、フローシート、減圧弁）を設け、陰極室６１入水口と陽極室６２入水口との間の配管路には逆止弁機構７１（例えば、ボール式、シャトル式、チェックバルブ式、電磁式、電動式）を設け、必要により薬剤添加装置５０及び電解槽６０の残留水を排水するための排水弁機構７２（例えば、常開型電磁式排水弁〔排水及び待機時は開弁、通水時は閉弁〕、ボール式〔水圧による加圧時は閉弁、無加圧時は開弁〕）を設けてある。
【００１４】
逆止弁機構７１は、陽極室通過水吐水モードには陰極室６１入水口側から陽極室６２入水口側に水が流れ、陽極室通過水循環モードには、陽極室６２入水口側から陰極室６１入水口側に水が流れないものである。設置方向は垂直方向、水平方向は問わない。
【００１５】
定流量弁機構７３を設けない場合は、流量検出装置４０等からの信号により、例えば、適正流量ランプ等を点灯（点滅）したり、警報ブザー（メロディ）等を吹鳴したりして、流量を外部で制御して頂く（例えば、水道蛇口を絞る。）ようにして、内部洗浄に適した流量にする必要がある。
【００１６】
又、流量検出装置４０や原水分岐給水切替装置８１の切替位置検出部の各種センサ（例えば、磁石と磁気検出装置〔例えば、リードスイッチ、ホールＩＣ、磁気抵抗、コイル等〕との組合せ等）の信号を処理したり排水弁機構７２や電解槽６０を通電制御したりする電気回路部９０（電解槽で消費される電解電力又は電解電流等並びにマイコン式電気制御装置等で消費される電力又は電流等を供給する電源トランス９２〔パルス制御をする場合はスイッチング電源装置でも良い。〕と、電気電子部品等が実装される印刷配線基板ユニット〔スイッチ類９５、ＬＣＤ・ＬＥＤ等のランプ類の表示部９６、ブザー・スピーカ等の警報部９７等を含む。〕からなるマイコン式電気制御装置９１と、放熱板に取り付けられた半導体装置９３〔ダイオード、ＦＥＴ、トランジスタ類〕と、電源コード９４等と、からなる。）を設けてある。
【００１７】
マイコン式電気制御装置９１（印刷配線基板ユニット類）等は、樹脂ケース等に収納し、ポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）等で封止して絶縁処理をすると良い。
【００１８】
電源トランス９２等は、樹脂ケース等に収納し、ポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）等で封止して絶縁処理をすると良い。又、例えば、特開平７−２９００６３号公報等で開示されているように、水冷式としても良い。
【００１９】
放熱板取付半導体装置９３については、例えば、特開平１０−１２８３３３号公報等で開示されているように、陽極室６２出水口と陽極室生成水分岐排水切替装置８２との間の配管路（例えば、ステンレスパイプ）等に、該放熱板を取り付けて水冷方式としても良いし、自然空冷式又は強制空冷（ファン）式としても良いし、水冷方式と空冷方式との組合せでも良い。
【００２０】
そして、浄水槽３０や流量検出装置４０や薬剤添加装置５０や電解槽６０等の各構成部品を取り付けるだけで配管等が完了する水路部１００（樹脂製水路ブロック、樹脂製パイプ等）を設け、該水路部１００内には浄水槽３０の交換時の漏水を排水する排水ホース２２を設けてある。
必要により、該水路部１００内に安全弁１０１等（不図示）を設けて、浄水槽３０や電解槽６０を異常水圧から保護すると良い。又安全弁１０１は、例えば、逆止弁機構７１に内蔵させても良い。
【００２１】
図２は本発明の第一実施例の本器１０の陽極室通過水吐水モード時の概略水路回路図である。
参考ではあるが、例えば、水道蛇口等に本器１０用の分岐栓１５等を接続し、原水を該分岐栓１５等から分岐させて、原水給水管部２１に供給している。
該分岐栓１５等には、不図示ではあるが、安全弁１６を設けてあるので、規定の圧力以上の水圧が加わると、原水給水管部２１に給水する前に、該安全弁１６から放水されて、減圧された原水が原水給水管部２１に供給される。この場合は、水圧を外部で制御して頂く（例えば、水道蛇口を絞る。）必要がある。
切替槓杆（切替コック）８３を操作し、原水分岐給水切替装置８１と陽極室生成水分岐排水切替装置８２とを「通常操作モード（正電圧印加での電解又は逆電圧印加での電解又は無電解による吐水、且つ陽極室通過水吐水モード）」に切替えることで原水は、順に原水給水管部２１、原水分岐給水切替装置８１（原水入水口から浄水槽３０原水入水口側出水口を通る）、浄水槽３０原水入水口、浄水槽３０、浄水槽３０浄水出水口、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水、無電解においては浄水）として吐水され、陽極室６２入水においては、陽極室６２入水口、陽極室６２、陽極室６２出水口、陽極室生成水分岐排水切替装置８２（陽極室６２出水口側入水口から排水管部２３側出水口を通る）、排水管部２３を通り、正電圧印加での電解においては酸性水（逆電圧印加での電解においてはアルカリイオン水、無電解においては浄水）として吐水（排水）される。
【００２２】
図３は本発明の第一実施例の本器１０の陽極室通過水循環モード時の概略水路回路図である。
切替槓杆（切替コック）８３を操作し、原水分岐給水切替装置８１と陽極室生成水分岐排水切替装置８２とを「内部洗浄モード（正電圧印加での電解又は逆電圧印加での電解又は無電解による吐水、且つ陽極室通過水循環モード）」に切替えることで原水は、順に原水給水管部２１、原水分岐給水切替装置８１（原水入水口から陽極室６２入水口側出水口を通る）、定流量弁機構７３、陽極室６２入水口、陽極室６２、陽極室６２出水口、陽極室生成水分岐排水切替装置８２（陽極室６２出水口側入水口から浄水槽３０洗浄水入水口を通る）、浄水槽３０洗浄水入水口（中空糸膜の逆流洗浄は行わない。）、浄水槽３０浄水出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
【００２３】
上記のように、第一実施例の本器１０の内部洗浄モードには、「電解内部洗浄モード（正電圧印加での電解による吐水且つ陽極室通過水循環モード）」として、次亜塩素酸含有水（酸性水）を循環させる方法と、「逆電内部洗浄モード（逆電圧印加での電解による吐水且つ陽極室通過水循環モード）」として、アルカリ性洗浄水を循環させる方法と、「無電解内部洗浄モード（無電解による吐水且つ陽極室通過水循環モード）」として、原水を循環させる方法と、があるので、選択して使用すると良い。
必要により薬剤添加装置５０及び電解槽６０の残留水を排水するための排水弁機構７２を開閉させると、薬剤添加装置５０と排水弁機構７２との間の配管路も洗浄（次亜塩素酸含有水又はアルカリ性洗浄水又は原水による洗浄）することができる。
【００２４】
誤飲防止のために、陰極室生成水吐水口２４から酸性水又は洗浄水が吐水（排水）されている場合は、飲用不可能ランプを点灯（点滅）させたり、警報ブザー（メロディ）を吹鳴（例えば、ピポピポ）させたりすると良い。
又、通水と同時に陰極室生成水吐水口２４からアルカリイオン水又は浄水が吐水された場合でも、衛生上は若干の捨て水は必要なので、飲用可能になるまで、飲用不可ランプを点灯（点滅）させたり、警報ブザー（メロディ）を吹鳴（例えば、ピポピポ）させたりすると良い。そして、飲用可能後に飲用可能ランプを点灯（点滅）させたり、安全ブザー（メロディ）を吹鳴（例えば、ピッピッ）させたりすると良い。
【００２５】
図４は本発明の第二実施例の本器１０の陽極室通過水吐水モード及び待機時の概略水路回路図である。
第一実施例の本器１０の切替槓杆（切替コック）８３のかわりに、電動機８５等で原水分岐給水切替装置８１と陽極室生成水分岐排水切替装置８２とを駆動すると、自動化がはかれる。
電動機８５には減速機及び／又は光学的（光電式）エンコーダ（回転位置や速度をディジタル信号に変換するセンサで、シャフト・エンコーダ又はロータリ・エンコーダ等がある。）や、磁石と磁気検出装置との組合せによる位置検出装置を設けた（内蔵又は外付け）ものを使用すると制御しやすい。又、電動機８５は直結回動駆動でもギヤ又はベルト等を介した間接回動駆動でも良い。
電動機８５においては、直流モータ、交流モータ、パルスモータ、ステッピングモータ、エンコーダ機構付きモータ、減速機付きモータ、モータと減速機等との個別機能（機構）の組合せ、磁気クラッチ式回動モータ等、原水分岐給水切替装置８１と陽極室生成水分岐排水切替装置８２とを機械的に回動駆動できるものであれば特にその手段は問わない。
【００２６】
図５は本発明の第三実施例の本器１０の陽極室通過水吐水モード時の概略水路回路図である。
浄水槽３０については、例えば、実開平５−６３６８９号公報等で開示されているように、エア抜き機構３３を追加すると、活性炭浄水槽３１と中空糸膜浄水槽３２との間の空間側にも洗浄水がいきわたるようになる。
【００２７】
本発明の第四実施例の本器１０は、ケーシング１２と、トップカバー１１（取り外すと、活性炭浄水槽３１、中空糸膜浄水槽３２が見える。）と、外部から原水を流入させる原水給水管部２１と、通常操作モードと内部洗浄モードとに切替えできる原水分岐給水切替装置８１（例えば、原水入水口と、活性炭浄水槽３１原水入水口側出水口と、陽極室６２入水口側出水口と、を有する三方弁。８３は〔手動回転式〕切替槓杆又は切替コックである。）と、活性炭浄水槽３１（活性炭カートリッジともいう。交換可能。）と、中空糸膜浄水槽３２（中空糸膜カートリッジともいう。中空糸膜浄水槽３２入水口と、中空糸膜浄水槽３２洗浄水入水口と、中空糸膜浄水槽３２出水口と、を有することを特徴とする。交換可能。）と、流量検出装置４０と、薬剤添加装置５０と、陰極室６１及び陽極室６２を有し各室に入水口と出水口とを有する電解槽６０と、通常操作モードと内部洗浄モードとに切替えできる陽極室生成水分岐排水切替装置８２（例えば、陽極室６２出水口側入水口と、排水管部２３側出水口と、中空糸膜浄水槽３２洗浄水入水口と、を有する三方弁。ベルトやギア等の駆動力伝達装置８４により切替槓杆８３に連動する。原水分岐給水切替装置８１と一体に形成されている場合は駆動力伝達装置８４そのものは不要の場合がある。）と、陰極室生成水吐水口２４と、排水管部２３と、からなる。
【００２８】
細部においては、原水分岐給水切替装置８１と陽極室６２入水口との間の配管路には必要により定流量弁機構７３を設け、陰極室６１入水口と陽極室６２入水口との間の配管路には逆止弁機構７１を設け、必要により薬剤添加装置５０及び電解槽６０の残留水を排水するための排水弁機構７２を設け、流量検出装置４０や原水分岐給水切替装置８１の切替位置検出部の各種センサの信号を処理したり排水弁機構７２や電解槽６０を通電制御したりする電気回路部９０を設け、活性炭浄水槽３１や中空糸膜浄水槽３２や流量検出装置４０や薬剤添加装置５０や電解槽６０等の各構成部品を取り付けるだけで配管等が完了する水路部１００を設け、該水路部１００内には活性炭浄水槽３１や中空糸膜浄水槽３２の交換時の漏水を排水する排水ホース２２を設けてある。
必要により、該水路部１００内に安全弁１０１等（不図示）を設けて、浄水槽３０や電解槽６０を異常水圧から保護すると良い。
【００２９】
図６は本発明の第四実施例の本器１０の陽極室通過水吐水モード時の概略水路回路図である。
参考ではあるが、例えば、水道蛇口等に本器１０用の分岐栓１５等を接続し、原水を該分岐栓１５等から分岐させて、原水給水管部２１に供給している。
該分岐栓１５等には、不図示ではあるが、安全弁１６を設けてあるので、規定の圧力以上の水圧が加わると、原水給水管部２１に給水する前に、該安全弁１６から放水されて、減圧された原水が原水給水管部２１に供給される。この場合は、水圧を外部で制御して頂く（例えば、水道蛇口を絞る。）必要がある。
切替槓杆（切替コック）８３を操作し、原水分岐給水切替装置８１と陽極室生成水分岐排水切替装置８２とを「通常操作モード（正電圧印加での電解又は逆電圧印加での電解又は無電解による吐水、且つ陽極室通過水吐水モード）」に切替えることで原水は、順に原水給水管部２１、原水分岐給水切替装置８１（原水入水口から活性炭浄水槽３１原水入水口側出水口を通る）、活性炭浄水槽３１、中空糸膜浄水槽３２、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水、無電解においては浄水）として吐水され、陽極室６２入水においては、陽極室６２入水口、陽極室６２、陽極室６２出水口、陽極室生成水分岐排水切替装置８２（陽極室６２出水口側入水口から排水管部２３側出水口を通る）、排水管部２３を通り、正電圧印加での電解においては酸性水（逆電圧印加での電解においてはアルカリイオン水、無電解においては浄水）として吐水（排水）される。
【００３０】
図７は本発明の第四実施例の本器１０の陽極室通過水循環モード時の概略水路回路図である。
切替槓杆（切替コック）８３を操作し、原水分岐給水切替装置８１と陽極室生成水分岐排水切替装置８２とを「内部洗浄モード（正電圧印加での電解又は逆電圧印加での電解又は無電解による吐水、且つ陽極室通過水循環モード）」に切替えることで原水は、順に原水給水管部２１、原水分岐給水切替装置８１（原水入水口から陽極室６２入水口側出水口を通る）、定流量弁機構７３、陽極室６２入水口、陽極室６２、陽極室６２出水口、陽極室生成水分岐排水切替装置８２（陽極室６２出水口側入水口から中空糸膜浄水槽３２洗浄水入水口を通る）、中空糸膜浄水槽３２洗浄水入水口、中空糸膜浄水槽３２出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
【００３１】
上記のように、第四実施例の本器１０の内部洗浄モードには、「電解内部洗浄モード（正電圧印加での電解による吐水且つ陽極室通過水循環モード）」として、次亜塩素酸含有水（酸性水）を循環させる方法と、「逆電内部洗浄モード（逆電圧印加での電解による吐水且つ陽極室通過水循環モード）」として、アルカリ性洗浄水を循環させる方法と、「無電解内部洗浄モード（無電解による吐水且つ陽極室通過水循環モード）」として、原水を循環させる方法と、があるので、選択して使用すると良い。
必要により薬剤添加装置５０及び電解槽６０の残留水を排水するための排水弁機構７２を開閉させると、薬剤添加装置５０と排水弁機構７２との間の配管路も洗浄（次亜塩素酸含有水又はアルカリ性洗浄水又は原水による洗浄）することができる。
【００３２】
誤飲防止のために、陰極室生成水吐水口２４から酸性水又は洗浄水が吐水（排水）されている場合は、飲用不可ランプを点灯（点滅）させたり、警報ブザー（メロディ）を吹鳴（例えば、ピポピポ）させたりすると良い。
又、通水と同時に陰極室生成水吐水口２４からアルカリイオン水又は浄水が吐水された場合でも、衛生上は若干の捨て水は必要なので、飲用可能になるまで、飲用不可ランプを点灯（点滅）させたり、警報ブザー（メロディ）を吹鳴（例えば、ピポピポ）させたりすると良い。そして、飲用可能後に飲用可能ランプを点灯（点滅）させたり、安全ブザー（メロディ）を吹鳴（例えば、ピッピッ）させたりすると良い。
【００３３】
図８は本発明の第五実施例の本器１０の陽極室通過水吐水モード及び待機時の概略水路回路図である。
第四実施例の本器１０の切替槓杆（切替コック）８３のかわりに、電動機８５等で原水分岐給水切替装置８１と陽極室生成水分岐排水切替装置８２とを駆動すると、自動化がはかれる。
【００３４】
図９は本発明の第六実施例の本器１０の陽極室通過水吐水モード時の概略水路回路図である。
第六実施例の本器１０については、第四実施例の本器１０の原水分岐給水切替装置８１、活性炭浄水槽３１の順の水路配置を、活性炭浄水槽３１、原水分岐給水切替装置８１の順の水路配置に変えたものである。
切替槓杆（切替コック）８３を操作し、原水分岐給水切替装置８１と陽極室生成水分岐排水切替装置８２とを「通常操作モード（正電圧印加での電解又は逆電圧印加での電解又は無電解による吐水、且つ陽極室通過水吐水モード）」に切替えることで原水は、順に原水給水管部２１、活性炭浄水槽３１、原水分岐給水切替装置８１（活性炭浄水槽３１浄水出水口側入水口から中空糸膜浄水槽３２入水口側出水口を通る）、中空糸膜浄水槽３２、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水、無電解においては浄水）として吐水され、陽極室６２入水においては、陽極室６２入水口、陽極室６２、陽極室６２出水口、陽極室生成水分岐排水切替装置８２（陽極室６２出水口側入水口から排水管部２３側出水口を通る）、排水管部２３を通り、正電圧印加での電解においては酸性水（逆電圧印加での電解においてはアルカリイオン水、無電解においては浄水）として吐水（排水）される。
【００３５】
不図示ではあるが、切替槓杆（切替コック）８３を操作し、原水分岐給水切替装置８１と陽極室生成水分岐排水切替装置８２とを「内部洗浄モード（正電圧印加での電解又は逆電圧印加での電解又は無電解による吐水、且つ陽極室通過水循環モード）」に切替えることで原水は、順に原水給水管部２１、活性炭浄水槽３１、原水分岐給水切替装置８１（活性炭浄水槽３１浄水出水口側入水口から陽極室６２入水口側出水口を通る）、定流量弁機構７３、陽極室６２入水口、陽極室６２、陽極室６２出水口、陽極室生成水分岐排水切替装置８２（陽極室６２出水口側入水口から中空糸膜浄水槽３２洗浄水入水口を通る）、中空糸膜浄水槽３２洗浄水入水口、中空糸膜浄水槽３２出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
中空糸膜浄水槽３２については、前記のように、エア抜き機構３３を追加すると、中空糸膜浄水槽３２入水口側にも洗浄水がいきわたるようになる。
【００３６】
本発明の第七実施例の本器１０は、ケーシング１２と、トップカバー１１（取り外すと、浄水槽３０〔活性炭浄水槽３１と中空糸膜浄水槽３２とを一体型に形成したもの。〕が見える。）と、外部から原水を流入させる原水給水管部２１と、浄水吐水モードと電解水吐水モードと内部洗浄モードとに切替えできる原水分岐給水切替装置８６（例えば、原水入水口と、浄水槽３０原水入水口側出水口１と、浄水槽３０原水入水口側出水口２と、陽極室６２入水口側出水口と、を有する四方弁。８３は〔手動回転式〕切替槓杆又は切替コックである。）と、浄水槽３０と、流量検出装置４０と、薬剤添加装置５０と、電解槽６０と、浄水吐水モードと電解水吐水モードと内部洗浄モードとに切替えできる陽極室生成水分岐排水切替装置８７（例えば、陽極室６２出水口側入水口と、排水管部２３側出水口と、例えば、蓋をした止水口と、浄水槽３０洗浄水入水口を有する四方弁。ベルトやギア等の駆動力伝達装置８４により切替槓杆８３に連動する。原水分岐給水切替装置８６と一体に形成されている場合は駆動力伝達装置８４そのものは不要の場合がある。）と、陰極室生成水吐水口２４と、排水管部２３と、からなる。
【００３７】
細部においては、原水分岐給水切替装置８６と陽極室６２入水口との間の配管路には必要により定流量弁機構７３を設け、陰極室６１入水口と陽極室６２入水口との間の配管路には逆止弁機構７１を設け、必要により薬剤添加装置５０及び電解槽６０の残留水を排水するための排水弁機構７２を設け、流量検出装置４０や原水分岐給水切替装置８６の切替位置検出部の各種センサの信号を処理したり排水弁機構７２や電解槽６０を通電制御したりする電気回路部９０を設け、浄水槽３０や流量検出装置４０や薬剤添加装置５０や電解槽６０等の各構成部品を取り付けるだけで配管等が完了する水路部１００を設け、該水路部１００内には浄水槽３０の交換時の漏水を排水する排水ホース２２を設けてある。
必要により、該水路部１００内に安全弁１０１等（不図示）を設けて、浄水槽３０や電解槽６０を異常水圧から保護すると良い。
【００３８】
図１０は本発明の第七実施例の本器１０の陽極室通過水吐水モード時の概略水路回路図である。
参考ではあるが、例えば、水道蛇口等に本器１０用の分岐栓１５等を接続し、原水を該分岐栓１５等から分岐させて、原水給水管部２１に供給している。
該分岐栓１５等には、不図示ではあるが、安全弁１６を設けてあるので、規定の圧力以上の水圧が加わると、原水給水管部２１に給水する前に、該安全弁１６から放水されて、減圧された原水が原水給水管部２１に供給される。この場合は、水圧を外部で制御して頂く（例えば、水道蛇口を絞る。）必要がある。
切替槓杆（切替コック）８３を操作し、原水分岐給水切替装置８６と陽極室生成水分岐排水切替装置８７とを「電解水吐水モード（正電圧印加での電解又は逆電圧印加での電解による吐水、且つ陽極室通過水吐水モード）」に切替えることで原水は、順に原水給水管部２１、原水分岐給水切替装置８６（原水入水口から浄水槽３０原水入水口側出水口１を通る）、浄水槽３０原水入水口、浄水槽３０、浄水槽３０浄水出水口、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水）として吐水され、陽極室６２入水においては、陽極室６２入水口、陽極室６２、陽極室６２出水口、陽極室生成水分岐排水切替装置８７（陽極室６２出水口側入水口から排水管部２３側出水口を通る）、排水管部２３を通り、正電圧印加での電解においては酸性水（逆電圧印加での電解においてはアルカリイオン水）として吐水（排水）される。
【００３９】
図１１は本発明の第七実施例の本器１０の陽極室通過水止水モード時の概略水路回路図である。
切替槓杆（切替コック）８３を操作し、原水分岐給水切替装置８６と陽極室生成水分岐排水切替装置８７とを「浄水吐水モード（無電解による吐水且つ陽極室通過水止水モード）」切替えることで原水は、順に原水給水管部２１、原水分岐給水切替装置８６（原水入水口から活性炭浄水槽３１原水入水口側出水口２を通る）、浄水槽３０原水入水口、浄水槽３０、浄水槽３０浄水出水口、流量検出装置４０、薬剤添加装置５０、陰極室６１入水口、陰極室６１、陰極室６１出水口、陰極室生成水吐水口２４を通り、飲用可能な浄水として吐水される。（排水管部２３からの浄水排水〔吐水〕は無い。）
【００４０】
図１２は本発明の第七実施例の本器１０の陽極室通過水循環モード時の概略水路回路図である。
切替槓杆（切替コック）８３を操作し、原水分岐給水切替装置８６と陽極室生成水分岐排水切替装置８７とを「内部洗浄モード（正電圧印加での電解又は逆電圧印加での電解又は無電解による吐水、且つ陽極室通過水循環モード）」に切替えることで原水は、順に原水給水管部２１、原水分岐給水切替装置８６（原水入水口から陽極室６２入水口側出水口を通る）、定流量弁機構７３、陽極室６２入水口、陽極室６２、陽極室６２出水口、陽極室生成水分岐排水切替装置８７（陽極室６２出水口側入水口から浄水槽３０洗浄水入水口を通る）、浄水槽３０洗浄水入水口（中空糸膜の逆流洗浄は行わない。）、浄水槽３０浄水出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
【００４１】
上記のように、第七実施例の本器１０の内部洗浄モードには、「電解内部洗浄モード（正電圧印加での電解による吐水且つ陽極室通過水循環モード）」として、次亜塩素酸含有水（酸性水）を循環させる方法と、「逆電内部洗浄モード（逆電圧印加での電解による吐水且つ陽極室通過水循環モード）」として、アルカリ性洗浄水を循環させる方法と、「無電解内部洗浄モード（無電解による吐水且つ陽極室通過水循環モード）」として、原水を循環させる方法と、があるので、選択して使用すると良い。
必要により薬剤添加装置５０及び電解槽６０の残留水を排水するための排水弁機構７２を開閉させると、薬剤添加装置５０と排水弁機構７２との間の配管路も洗浄（次亜塩素酸含有水又はアルカリ性洗浄水又は原水による洗浄）することができる。
【００４２】
誤飲防止のために、陰極室生成水吐水口２４から酸性水又は洗浄水が吐水（排水）されている場合は、飲用不可ランプを点灯（点滅）させたり、警報ブザー（メロディ）を吹鳴させたりすると良い。
又、通水と同時に陰極室生成水吐水口２４からアルカリイオン水又は浄水が吐水された場合でも、衛生上は若干の捨て水は必要なので、飲用可能になるまで、飲用不可ランプを点灯（点滅）させたり、警報ブザー（メロディ）を吹鳴させたりすると良い。そして、飲用可能後に飲用可能ランプを点灯（点滅）させたり、安全ブザー（メロディ）を吹鳴させたりすると良い。
【００４３】
図１３は本発明の第八実施例の本器１０の陽極室通過水吐水モード及び待機時の概略水路回路図である。
第七実施例の本器１０の切替槓杆（切替コック）８３のかわりに、電動機８５等で原水分岐給水切替装置８６と陽極室生成水分岐排水切替装置８７とを駆動すると、自動化がはかれる。
電動機８５には減速機及び／又は光学的（光電式）エンコーダ（回転位置や速度をディジタル信号に変換するセンサで、シャフト・エンコーダ又はロータリ・エンコーダ等がある。）や、磁石と磁気検出装置との組合せによる位置検出装置を設けた（内蔵又は外付け）ものを使用すると制御しやすい。又、電動機８５は直結回動駆動でもギヤ又はベルト等を介した間接回動駆動でも良い。
電動機８５においては、直流モータ、交流モータ、パルスモータ、ステッピングモータ、エンコーダ機構付きモータ、減速機付きモータ、モータと減速機等との個別機能（機構）の組合せ、磁気クラッチ式回動モータ等、原水分岐給水切替装置８６と陽極室生成水分岐排水切替装置８７とを機械的に回動駆動できるものであれば特にその手段は問わない。
【００４４】
図１４は本発明の第九実施例の本器１０の陽極室通過水吐水モード時の概略水路回路図である。
浄水槽３０については、前記のように、エア抜き機構３３を追加すると、活性炭浄水槽３１と中空糸膜浄水槽３２との間の空間側にも洗浄水がいきわたるようになる。
【００４５】
本発明の第十実施例の本器１０は、ケーシング１２と、トップカバー１１（取り外すと、活性炭浄水槽３１、中空糸膜浄水槽３２が見える。）と、外部から原水を流入させる原水給水管部２１と、浄水吐水モードと電解水吐水モードと内部洗浄モードとに切替えできる原水分岐給水切替装置８６（例えば、原水入水口と、活性炭浄水槽３１原水入水口側出水口１と、活性炭浄水槽３１原水入水口側出水口２と、陽極室６２入水口側出水口と、を有する四方弁。８３は〔手動回転式〕切替槓杆又は切替コックである。）と、活性炭浄水槽３１と、中空糸膜浄水槽３２と、流量検出装置４０と、薬剤添加装置５０と、電解槽６０と、浄水吐水モードと電解水吐水モードと内部洗浄モードとに切替えできる陽極室生成水分岐排水切替装置８７（例えば、陽極室６２出水口側入水口と、排水管部２３側出水口と、例えば、蓋をした止水口と、中空糸膜浄水槽３２洗浄水入水口を有する四方弁。ベルトやギア等の駆動力伝達装置８４により切替槓杆８３に連動する。原水分岐給水切替装置８６と一体に形成されている場合は駆動力伝達装置８４そのものは不要の場合がある。）と、陰極室生成水吐水口２４と、排水管部２３（例えば、酸性水ホース）と、からなる。
【００４６】
細部においては、原水分岐給水切替装置８６と陽極室６２入水口との間の配管路には必要により定流量弁機構７３を設け、陰極室６１入水口と陽極室６２入水口との間の配管路には逆止弁機構７１を設け、必要により薬剤添加装置５０及び電解槽６０の残留水を排水するための排水弁機構７２を設け、流量検出装置４０や原水分岐給水切替装置８６の切替位置検出部の各種センサの信号を処理したり排水弁機構７２や電解槽６０を通電制御したりする電気回路部９０を設け、活性炭浄水槽３１や中空糸膜浄水槽３２や流量検出装置４０や薬剤添加装置５０や電解槽６０等の各構成部品を取り付けるだけで配管等が完了する水路部１００を設け、該水路部１００内には活性炭浄水槽３１や中空糸膜浄水槽３２の交換時の漏水を排水する排水ホース２２を設けてある。
必要により、該水路部１００内に安全弁１０１等（不図示）を設けて、浄水槽３０や電解槽６０を異常水圧から保護すると良い。
【００４７】
図１５は本発明の第十実施例の本器１０の陽極室通過水吐水モード時の概略水路回路図である。
参考ではあるが、例えば、水道蛇口等に本器１０用の分岐栓１５等を接続し、原水を該分岐栓１５等から分岐させて、原水給水管部２１に供給している。
該分岐栓１５等には、不図示ではあるが、安全弁１６を設けてあるので、規定の圧力以上の水圧が加わると、原水給水管部２１に給水する前に、該安全弁１６から放水されて、減圧された原水が原水給水管部２１に供給される。この場合は、水圧を外部で制御して頂く（例えば、水道蛇口を絞る。）必要がある。
切替槓杆（切替コック）８３を操作し、原水分岐給水切替装置８６と陽極室生成水分岐排水切替装置８７とを「電解水吐水モード（正電圧印加での電解又は逆電圧印加での電解による吐水、且つ陽極室通過水吐水モード）」に切替えることで原水は、順に原水給水管部２１、原水分岐給水切替装置８６（原水入水口から活性炭浄水槽３１原水入水口側出水口１を通る）、活性炭浄水槽３１、中空糸膜浄水槽３２、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水）として吐水され、陽極室６２入水においては、陽極室６２入水口、陽極室６２、陽極室６２出水口、陽極室生成水分岐排水切替装置８７（陽極室６２出水口側入水口から排水管部２３側出水口を通る）、排水管部２３を通り、正電圧印加での電解においては酸性水（逆電圧印加での電解においてはアルカリイオン水）として吐水（排水）される。
【００４８】
図１６は本発明の第十実施例の本器１０の陽極室通過水止水モード時の概略水路回路図である。
切替槓杆（切替コック）８３を操作し、原水分岐給水切替装置８６と陽極室生成水分岐排水切替装置８７とを「浄水吐水モード（無電解による吐水且つ陽極室通過水止水モード）」切替えることで原水は、順に原水給水管部２１、原水分岐給水切替装置８６（原水入水口から活性炭浄水槽３１原水入水口側出水口２を通る）、活性炭浄水槽３１、中空糸膜浄水槽３２、流量検出装置４０、薬剤添加装置５０、陰極室６１入水口、陰極室６１、陰極室６１出水口、陰極室生成水吐水口２４を通り、飲用可能な浄水として吐水される。（排水管部２３からの浄水排水〔吐水〕は無い。）
【００４９】
図１７は本発明の第十実施例の本器１０の陽極室通過水循環モード時の概略水路回路図である。
切替槓杆（切替コック）８３を操作し、原水分岐給水切替装置８６と陽極室生成水分岐排水切替装置８７とを「内部洗浄モード（正電圧印加での電解又は逆電圧印加での電解又は無電解による吐水、且つ陽極室通過水循環モード）」に切替えることで原水は、順に原水給水管部２１、原水分岐給水切替装置８６（原水入水口から陽極室６２入水口側出水口を通る）、定流量弁機構７３、陽極室６２入水口、陽極室６２、陽極室６２出水口、陽極室生成水分岐排水切替装置８７（陽極室６２出水口側入水口から中空糸膜浄水槽３２洗浄水入水口を通る）、中空糸膜浄水槽３２洗浄水入水口、中空糸膜浄水槽３２出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
【００５０】
上記のように、第十実施例の本器１０の内部洗浄モードには、「電解内部洗浄モード（正電圧印加での電解による吐水且つ陽極室通過水循環モード）」として、次亜塩素酸含有水（酸性水）を循環させる方法と、「逆電内部洗浄モード（逆電圧印加での電解による吐水且つ陽極室通過水循環モード）」として、アルカリ性洗浄水を循環させる方法と、「無電解内部洗浄モード（無電解による吐水且つ陽極室通過水循環モード）」として、原水を循環させる方法と、があるので、選択して使用すると良い。
必要により薬剤添加装置５０及び電解槽６０の残留水を排水するための排水弁機構７２を開閉させると、薬剤添加装置５０と排水弁機構７２との間の配管路も洗浄（次亜塩素酸含有水又はアルカリ性洗浄水又は原水による洗浄）することができる。
【００５１】
誤飲防止のために、陰極室生成水吐水口２４から酸性水又は洗浄水が吐水（排水）されている場合は、飲用不可ランプを点灯（点滅）させたり、警報ブザー（メロディ）を吹鳴させたりすると良い。
又、通水と同時に陰極室生成水吐水口２４からアルカリイオン水又は浄水が吐水された場合でも、衛生上は若干の捨て水は必要なので、飲用可能になるまで、飲用不可ランプを点灯（点滅）させたり、警報ブザー（メロディ）を吹鳴させたりすると良い。そして、飲用可能後に飲用可能ランプを点灯（点滅）させたり、安全ブザー（メロディ）を吹鳴させたりすると良い。
【００５２】
図１８は本発明の第十一実施例の本器１０の陽極室通過水吐水モード及び待機時の概略水路回路図である。
第十実施例の本器１０の切替槓杆（切替コック）８３のかわりに、電動機８５等で原水分岐給水切替装置８６と陽極室生成水分岐排水切替装置８７とを駆動すると、自動化がはかれる。
【００５３】
図１９は本発明の第十二実施例の本器１０の陽極室通過水吐水モード時の概略水路回路図である。
第十二実施例の本器１０については、第十実施例の本器１０の原水分岐給水切替装置８６、活性炭浄水槽３１の順の水路配置を、活性炭浄水槽３１、原水分岐給水切替装置８６の順の水路配置に変えたものである。
切替槓杆（切替コック）８３を操作し、原水分岐給水切替装置８６と陽極室生成水分岐排水切替装置８７とを「電解水吐水モード（正電圧印加での電解又は逆電圧印加での電解による吐水、且つ陽極室通過水吐水モード）」に切替えることで原水は、順に原水給水管部２１、活性炭浄水槽３１、原水分岐給水切替装置８６（活性炭浄水槽３１浄水出水口側入水口から中空糸膜浄水槽３２入水口側出水口１を通る）、中空糸膜浄水槽３２、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水）として吐水され、陽極室６２入水においては、陽極室６２入水口、陽極室６２、陽極室６２出水口、陽極室生成水分岐排水切替装置８７（陽極室６２出水口側入水口から排水管部２３側出水口を通る）、排水管部２３を通り、正電圧印加での電解においては酸性水（逆電圧印加での電解においてはアルカリイオン水）として吐水（排水）される。
【００５４】
不図示ではあるが、切替槓杆（切替コック）８３を操作し、原水分岐給水切替装置８６と陽極室生成水分岐排水切替装置８７とを「浄水吐水モード（無電解による吐水且つ陽極室通過水止水モード）」切替えることで原水は、順に原水給水管部２１、活性炭浄水槽３１、原水分岐給水切替装置８６（活性炭浄水槽３１浄水出水口側入水口から中空糸膜浄水槽３２入水口側出水口２を通る）、中空糸膜浄水槽３２、流量検出装置４０、薬剤添加装置５０、陰極室６１入水口、陰極室６１、陰極室６１出水口、陰極室生成水吐水口２４を通り、飲用可能な浄水として吐水される。（排水管部２３からの浄水排水〔吐水〕は無い。）
【００５５】
不図示ではあるが、切替槓杆（切替コック）８３を操作し、原水分岐給水切替装置８６と陽極室生成水分岐排水切替装置８７とを「内部洗浄モード（正電圧印加での電解又は逆電圧印加での電解又は無電解による吐水、且つ陽極室通過水循環モード）」に切替えることで原水は、順に原水給水管部２１、活性炭浄水槽３１、原水分岐給水切替装置８６（活性炭浄水槽３１浄水出水口側入水口から陽極室６２入水口側出水口を通る）、定流量弁機構７３、陽極室６２入水口、陽極室６２、陽極室６２出水口、陽極室生成水分岐排水切替装置８７（陽極室６２出水口側入水口から中空糸膜浄水槽３２洗浄水入水口を通る）、中空糸膜浄水槽３２洗浄水入水口、中空糸膜浄水槽３２出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
中空糸膜浄水槽３２については、前記のように、エア抜き機構３３を追加すると、中空糸膜浄水槽３２入水口側にも洗浄水がいきわたるようになる。
【００５６】
このように、従来の内部洗浄方法では、電解槽の陽極室の水と、電解槽の陰極室の水と、が逆方向（いずれか一方が電解槽の上方にある出水口から電解槽の下方にある入水口に向う方向）に流れているので、生成される電解水（次亜塩素酸含有水等）の次亜塩素酸濃度が低く、長時間の洗浄が必要とされていたが、本発明の連続式電解水生成器においては、いかなるモードにおいても、電解槽の陽極室の水と、電解槽の陰極室の水と、が常に順方向（電解槽の下方にある入水口から電解槽の上方にある出水口に向う方向）に流れているので、生成される電解水（次亜塩素酸含有水等）の次亜塩素酸濃度が高く、短時間の内部洗浄時間でありながら、順に浄水槽或いは中空糸膜浄水槽、薬剤添加装置、電解槽、陰極室生成水吐水口等に循環させて衛生保持ができるものである。
【００５７】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００５８】
例えば、マイコン式電気制御装置９１に内部洗浄時期警告タイマ等を設け、無使用積算時間等が規定値を超越した場合等は内部洗浄ランプ等を点灯（点滅）させたり、警報ブザー（メロディ）等を吹鳴させたりすると良い。
又、マイコン式電気制御装置９１に、浄水槽或いは活性炭浄水槽や中空糸膜浄水槽の寿命時期警告タイマ等を設け、使用水量及び／又は使用積算時間等が規定値を超越した場合等はカートリッジ寿命ランプ等を点灯（点滅）させたり、警報ブザー（メロディ）等を吹鳴させたりすると良い。
そして、マイコン式電気制御装置９１に電解槽の逆電洗浄（スケール除去）時期警告タイマ等を設け、使用水量及び／又は使用積算時間等が規定値を超越した場合等は逆電解洗浄ランプ等を点灯（点滅）させたり、警報ブザー（メロディ）等を吹鳴させたりすると良い。
【００５９】
本器１０は薬剤添加装置５０がケーシング１２に設けられ、トップカバー１１を取り外すと、浄水槽３０或いは活性炭浄水槽３１と中空糸膜浄水槽３２とが見えるが、トップカバー１１を取り外すと、浄水槽３０或いは活性炭浄水槽３１と中空糸膜浄水槽３２と薬剤添加装置５０とが見えるようにしても良い。
【００６０】
本器１０は、活性炭浄水槽３１と中空糸膜浄水槽３２とが内蔵されている浄水槽３０、或いは個別の活性炭浄水槽３１と中空糸膜浄水槽３２とを用いたものであるが、中空糸膜浄水槽３２が入手困難な場合は、無くても良い。
図２０は中空糸膜浄水槽３２を搭載しない連続式電解水生成器の陽極室通過水吐水モード時の概略水路回路図である。
切替槓杆（切替コック）８３を操作し、原水分岐給水切替装置８１と陽極室生成水分岐排水切替装置８２とを「通常操作モード（正電圧印加での電解又は逆電圧印加での電解又は無電解による吐水、且つ陽極室通過水吐水モード）」に切替えることで原水は、順に原水給水管部２１、原水分岐給水切替装置８１（原水入水口から活性炭浄水槽３１原水入水口側出水口を通る）、活性炭浄水槽３１、流量検出装置４０、薬剤添加装置５０、電解槽６０、陰極室６１入水においては、陰極室６１入水口、陰極室６１、陰極室６１出水口、陰極室生成水吐水口２４を通り、正電圧印加での電解においては飲用可能なアルカリイオン水（逆電圧印加での電解においては酸性水、無電解においては浄水）として吐水され、陽極室６２入水においては、陽極室６２入水口、陽極室６２、陽極室６２出水口、陽極室生成水分岐排水切替装置８２（陽極室６２出水口側入水口から排水管部２３側出水口を通る）、排水管部２３を通り、正電圧印加での電解においては酸性水（逆電圧印加での電解においてはアルカリイオン水、無電解においては浄水）として吐水（排水）される。
【００６１】
図２１は中空糸膜浄水槽３２を搭載しない連続式電解水生成器の陽極室通過水循環モード時の概略水路回路図である。
切替槓杆（切替コック）８３を操作し、原水分岐給水切替装置８１と陽極室生成水分岐排水切替装置８２とを「内部洗浄モード（正電圧印加での電解又は逆電圧印加での電解又は無電解による吐水、且つ陽極室通過水循環モード）」に切替えることで原水は、順に原水給水管部２１、原水分岐給水切替装置８１（原水入水口から陽極室６２入水口側出水口を通る）、定流量弁機構７３、陽極室６２入水口、陽極室６２、陽極室６２出水口、陽極室生成水分岐排水切替装置８２（陽極室６２出水口側入水口から活性炭浄水槽３１洗浄水入水口を通る）、活性炭浄水槽３１浄水出水口、流量検出装置４０、薬剤添加装置５０、陰極室６１入水口、陰極室６１、陰極室６１出水口、陰極室生成水吐水口２４を通り、飲用不可能な洗浄水（正電圧印加での電解時は次亜塩素酸含有水、逆電圧印加での電解時はアルカリ性洗浄水、無電解時は原水）として吐水（排水）される。
【００６２】
本器１０においては、排水弁機構７２を常開型電磁式排水弁〔排水及び待機時は開弁、通水時は閉弁〕としたが、例えば、常閉型電磁式排水弁〔排水時は開弁、通水及び待機時は閉弁〕としても良い。
又、三方弁方式の原水分岐給水切替装置と三方弁方式の陽極室生成水分岐排水切替装置の組合せ、四方弁方式の原水分岐給水切替装置と四方弁方式の陽極室生成水分岐排水切替装置の組合せの他に、三方弁方式の原水分岐給水切替装置と四方弁方式の陽極室生成水分岐排水切替装置の組合せ、四方弁方式の原水分岐給水切替装置と三方弁方式の陽極室生成水分岐排水切替装置の組合せ、原水分岐給水切替装置或いは陽極室生成水分岐排水切替装置の一方を手動式、他方を電動式としても良い。
【００６３】
本器１０においては、浄水槽３０或いは中空糸膜浄水槽３２から洗浄水を循環させているが、例えば、水路回路的に浄水槽３０或いは中空糸膜浄水槽３２に洗浄水を循環させることが不可能な場合等は、薬剤添加装置５０（又は流量検出装置４０）から洗浄水を循環させても良い。
【００６４】
シンク（流し台）の下部に本器１０を設置するタイプに改造する場合は、原水給水管部と原水分岐給水切替装置との間に、例えば、常閉型電磁式給水弁を設け、外部リモコン方式（外部リモコンは給水栓等に配設する）で常閉型電磁式給水弁の開閉駆動と共に、例えば、電動式原水分岐給水切替装置等を駆動させれば、容易に改変することができる。
【００６５】
【発明の効果】
本発明における連続式電解水生成器においては、いかなるモードにおいても、電解槽の陽極室の水と、電解槽の陰極室の水と、が常に順方向に流れているので、生成される電解水（次亜塩素酸含有水等）の次亜塩素酸濃度が高く、内部洗浄時間が短縮できるという効果を奏する。
【図面の簡単な説明】
【図１】本発明の連続式電解水生成器の参考外観図である。
【図２】本発明の第一実施例の連続式電解水生成器の陽極室通過水吐水モード時の概略水路回路図である。
【図３】本発明の第一実施例の連続式電解水生成器の陽極室通過水循環モード時の概略水路回路図である。
【図４】本発明の第二実施例の連続式電解水生成器の陽極室通過水吐水モード及び待機時の概略水路回路図である。
【図５】本発明の第三実施例の連続式電解水生成器の陽極室通過水吐水モード時の概略水路回路図である。
【図６】本発明の第四実施例の連続式電解水生成器の陽極室通過水吐水モード時の概略水路回路図である。
【図７】本発明の第四実施例の連続式電解水生成器の陽極室通過水循環モード時の概略水路回路図である。
【図８】本発明の第五実施例の連続式電解水生成器の陽極室通過水吐水モード及び待機時の概略水路回路図である。
【図９】本発明の第六実施例の連続式電解水生成器の陽極室通過水吐水モード時の概略水路回路図である。
【図１０】本発明の第七実施例の連続式電解水生成器の陽極室通過水吐水モード時の概略水路回路図である。
【図１１】本発明の第七実施例の連続式電解水生成器の陽極室通過水止水モード時の概略水路回路図である。
【図１２】本発明の第七実施例の連続式電解水生成器の陽極室通過水循環モード時の概略水路回路図である。
【図１３】本発明の第八実施例の連続式電解水生成器の陽極室通過水吐水モード及び待機時の概略水路回路図である。
【図１４】本発明の第九実施例の連続式電解水生成器の陽極室通過水吐水モード時の概略水路回路図である。
【図１５】本発明の第十実施例の連続式電解水生成器の陽極室通過水吐水モード時の概略水路回路図である。
【図１６】本発明の第十実施例の連続式電解水生成器の陽極室通過水止水モード時の概略水路回路図である。
【図１７】本発明の第十実施例の連続式電解水生成器の陽極室通過水循環モード時の概略水路回路図である。
【図１８】本発明の第十一実施例の連続式電解水生成器の陽極室通過水吐水モード及び待機時の概略水路回路図である。
【図１９】本発明の第十二実施例の連続式電解水生成器の陽極室通過水吐水モード時の概略水路回路図である。
【図２０】中空糸膜浄水槽を搭載しない連続式電解水生成器の陽極室通過水吐水モード時の概略水路回路図である。
【図２１】中空糸膜浄水槽を搭載しない連続式電解水生成器の陽極室通過水循環モード時の概略水路回路図である。
【符号の説明】
１０…連続式電解水生成器、１１…トップカバー、１２…ケーシング、１５…分岐栓、１６…安全弁、２１…原水給水管部（給水ホース）、２２…排水ホース、２３…排水管部（酸性水ホース）、２４…陰極室生成水吐水口（吐水パイプ等）、３０…活性炭浄水槽及び中空糸膜浄水槽一体型浄水槽、３１…活性炭浄水槽、３２…中空糸膜浄水槽、３３…エア抜き機構、４０…流量検出装置、５０…薬剤添加装置、６０…電解槽、６１…陰極室、６２…陽極室、７１…逆止弁機構、７２…排水弁機構、７３…定流量弁機構、８１…三方弁方式の原水分岐給水切替装置、８２…三方弁方式の陽極室生成水分岐排水切替装置、８３…切替槓杆（切替コック）、８４…駆動力伝達装置、８５…電動機、８６…三方弁方式の原水分岐給水切替装置、８７…三方弁方式の陽極室生成水分岐排水切替装置、９０…電気回路部、９１…マイコン式電気制御装置、９２…電源トランス（スイッチング電源装置）、９３…放熱板取付半導体装置、９４…電源コード、９５…スイッチ類、９６…ＬＣＤ・ＬＥＤ等のランプ類の表示部、９７…ブザー・スピーカ等の警報部、１００…水路部、１０１…安全弁
【図１】
0003605652.tif 000002
【図２】
0003605652.tif 000003
【図３】
0003605652.tif 000004
【図４】
0003605652.tif 000005
【図５】
0003605652.tif 000006
【図６】
0003605652.tif 000007
【図７】
0003605652.tif 000008
【図８】
0003605652.tif 000009
【図９】
0003605652.tif 000010
【図１０】
0003605652.tif 000011
【図１１】
0003605652.tif 000012
【図１２】
0003605652.tif 000013
【図１３】
0003605652.tif 000014
【図１４】
0003605652.tif 000015
【図１５】
0003605652.tif 000016
【図１６】
0003605652.tif 000017
【図１７】
0003605652.tif 000018
【図１８】
0003605652.tif 000019
【図１９】
0003605652.tif 000020
【図２０】
0003605652.tif 000021
【図２１】
0003605652.tif 000022